【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
印刷装置に対し、印刷に係る印刷コマンドを生成して出力するデータ処理装置であって、
前記印刷に係る印刷設定項目として、印刷に使用する印刷用紙の用紙種別の設定項目と、手動両面印刷の実行の有無を指定する設定項目を用いて、印刷設定を実行する設定手段と、
前記手動両面印刷の実行が設定されている場合に、前記設定手段で設定されている前記用紙種別に応じて、手動両面印刷対象の印刷ページ順を制御する制御手段と、
前記制御手段で制御された印刷ページ順に基づいて、前記手動両面印刷対象に対する印刷コマンドを前記印刷装置へ出力する出力手段と
を備えることを特徴とするデータ処理装置。
【請求項２】
前記制御手段は、前記設定手段で設定されている前記用紙種別に基づいて、前記印刷用紙の一方の面を全て印刷した後に前記印刷用紙の他方の面を全て印刷する通常手動両面印刷における印刷ページ順と、１枚の印刷用紙の一方の面を印刷した後に、その印刷用紙の他方の面を印刷することを全ての印刷用紙に対して行う手差手動両面印刷における印刷ページ順のどちらかを前記手動両面印刷対象の印刷ページ順として選択する
ことを特徴とする請求項１に記載のデータ処理装置。
【請求項３】
前記設定手段は、更に、前記設定項目として、前記手差手動両面印刷の実行の有無を指定する設定項目を有し、
前記手動両面印刷の実行が設定され、かつ前記手差手動両面印刷の実行が設定されていない場合は、前記制御手段は、前記設定手段で設定されている前記用紙種別に応じて、前記手動両面印刷対象の印刷ページ順を制御し、
前記手動両面印刷の実行が設定され、かつ前記手差手動両面印刷の実行が設定されている場合は、前記制御手段は、手差手動両面印刷における印刷ページ順を前記手動両面印刷対象の印刷ページ順として選択する
ことを特徴とする請求項２に記載のデータ処理装置。
【請求項４】
前記設定手段は、更に、前記設定項目として、前記手差手動両面印刷の実行の有無を指定する設定項目を有し、
前記設定手段は、前記手動両面印刷に対する設定項目の設定状態に基づいて、前記手差手動両面印刷の実行の有無を指定する設定項目に対する設定を禁止する
ことを特徴とする請求項２に記載のデータ処理装置。
【請求項５】
前記設定手段は、更に、前記設定項目として、前記手差手動両面印刷の実行の有無を指定する設定項目を有し、
前記設定手段は、前記用紙種別に対する設定項目の設定状態に基づいて、前記手差手動両面印刷の実行の有無を指定する設定項目に対する設定を禁止する
ことを特徴とする請求項２に記載のデータ処理装置。
【請求項６】
前記制御手段による制御を実行する場合に、ユーザに新しい印刷用紙を印刷装置の給紙口にセットする旨を促す通知画面と、ユーザに表面が印刷済みの印刷用紙を給紙口にセットする旨を促す通知画面とを、前記出力手段による印刷コマンドの出力状態に基づいて、切り替えて出力する通知画面出力手段を更に備える
ことを特徴とする請求項１に記載のデータ処理装置。
【請求項７】
前記設定手段は、更に、前記設定項目として、印刷品質の設定項目を有し、
前記制御手段は、前記手動両面印刷の実行が設定されている場合に、前記設定手段で設定されている前記用紙種別及び前記印刷品質の少なくとも一方に応じて、手動両面印刷対象の印刷ページ順を制御する
ことを特徴とする請求項１に記載のデータ処理装置。
【請求項８】
印刷装置に対し、印刷に係る印刷コマンドを生成して出力するデータ処理装置の制御方法であって、
前記印刷に係る印刷設定項目として、印刷に使用する印刷用紙の用紙種別の設定項目と、手動両面印刷の実行の有無を指定する設定項目を用いて、印刷設定を実行する設定工程と、
前記手動両面印刷の実行が設定されている場合に、前記設定工程で設定されている前記用紙種別に応じて、手動両面印刷対象の印刷ページ順を制御する制御工程と、
前記制御工程で制御された印刷ページ順に基づいて、前記手動両面印刷対象に対する印刷コマンドを前記印刷装置へ出力する出力工程と
を備えることを特徴とするデータ処理装置の制御方法。
【請求項９】
印刷装置に対し、印刷に係る印刷コマンドを生成して出力するデータ処理装置の制御をコンピュータに実行させるためのプログラムであって、
前記印刷に係る印刷設定項目として、印刷に使用する印刷用紙の用紙種別の設定項目と、手動両面印刷の実行の有無を指定する設定項目を用いて、印刷設定を実行する設定工程と、
前記手動両面印刷の実行が設定されている場合に、前記設定工程で設定されている前記用紙種別に応じて、手動両面印刷対象の印刷ページ順を制御する制御工程と、
前記制御工程で制御された印刷ページ順に基づいて、前記手動両面印刷対象に対する印刷コマンドを前記印刷装置へ出力する出力工程と
をコンピュータに実行させることを特徴とするプログラム。
【請求項１０】
第１の設定であるか否かを判別する判別手段と、
前記判別手段により第１の設定であると判別された場合、第１面を１ページ印刷するごとにユーザに裏返させて第２面を印刷させる印刷処理を実行し、前記判別手段により第１の設定でないと判別された場合、第１面を複数ページまとめて印刷してからユーザに裏返させて第２面を印刷させる印刷処理を実行する実行手段と
を備えることを特徴とするデータ処理装置。
【請求項１１】
前記設定は、用紙を含む
ことを特徴とする請求項１０に記載のデータ処理装置。
【請求項１２】
前記設定は、印刷品位を含む
ことを特徴とする請求項１０に記載のデータ処理装置。
【請求項１３】
第１の設定であるか否かを判別する判別工程と、
前記判別工程により第１の設定であると判別された場合、第１面を１ページ印刷するごとにユーザに裏返させて第２面を印刷させる印刷処理を実行し、前記判別工程により第１の設定でないと判別された場合、第１面を複数ページまとめて印刷してからユーザに裏返させて第２面を印刷させる印刷処理を実行する実行工程と
を備えることを特徴とする印刷制御方法。
【請求項１４】
前記設定は、用紙を含む
ことを特徴とする請求項１３に記載の印刷制御方法。
【請求項１５】
前記設定は、印刷品位を含む
ことを特徴とする請求項１３に記載の印刷制御方法。
【請求項１６】
第１の設定であるか否かを判別する判別工程と、
前記判別工程により第１の設定であると判別された場合、第１面を１ページ印刷するごとにユーザに裏返させて第２面を印刷させる印刷処理を実行し、前記判別工程により第１の設定でないと判別された場合、第１面を複数ページまとめて印刷してからユーザに裏返させて第２面を印刷させる印刷処理を実行する実行工程と
をコンピュータに実行させることを特徴とするプログラム。
【請求項１７】
前記設定は、用紙を含む
ことを特徴とする請求項１６に記載のプログラム。
【請求項１８】
前記設定は、印刷品位を含む
ことを特徴とする請求項１６に記載のプログラム。
【請求項１９】
印刷装置に対し、印刷に係る印刷コマンドを生成して出力するデータ処理装置であって、
前記印刷に係る印刷設定項目として、印刷に使用する印刷用紙の用紙種別の設定項目と、手動両面印刷の実行の有無を指定する設定項目を用いて、印刷設定を実行する設定手段と、
前記手動両面印刷の実行が設定されている場合に、前記設定手段で設定されている前記用紙種別に応じて、用紙種別が第１の用紙の場合、前記印刷用紙の一方の面を全て印刷した後に、前記印刷用紙の他方の面を全て印刷する印刷コマンドを生成し、用紙種別が第２の用紙の場合、１枚の印刷用紙の一方の面を印刷した後に、その印刷用紙の他方の面を印刷することを全ての印刷用紙に対して行う印刷コマンドを生成する生成手段と
を備えることを特徴とするデータ処理装置。
【請求項２０】
印刷装置に対し、印刷に係る印刷コマンドを生成して出力するデータ処理装置の制御方法であって、
前記印刷に係る印刷設定項目として、印刷に使用する印刷用紙の用紙種別の設定項目と、手動両面印刷の実行の有無を指定する設定項目を用いて、印刷設定を実行する設定工程と、
前記手動両面印刷の実行が設定されている場合に、前記設定工程で設定されている前記用紙種別に応じて、用紙種別が第１の用紙の場合、前記印刷用紙の一方の面を全て印刷した後に、前記印刷用紙の他方の面を全て印刷する印刷コマンドを生成し、用紙種別が第２の用紙の場合、１枚の印刷用紙の一方の面を印刷した後に、その印刷用紙の他方の面を印刷することを全ての印刷用紙に対して行う印刷コマンドを生成する生成工程と
を備えることを特徴とするデータ処理装置の制御方法。
【請求項２１】
印刷装置に対し、印刷に係る印刷コマンドを生成して出力するデータ処理装置の制御をコンピュータに実行させるためのプログラムであって、
前記印刷に係る印刷設定項目として、印刷に使用する印刷用紙の用紙種別の設定項目と、手動両面印刷の実行の有無を指定する設定項目を用いて、印刷設定を実行する設定工程と、
前記手動両面印刷の実行が設定されている場合に、前記設定工程で設定されている前記用紙種別に応じて、用紙種別が第１の用紙の場合、前記印刷用紙の一方の面を全て印刷した後に、前記印刷用紙の他方の面を全て印刷する印刷コマンドを生成し、用紙種別が第２の用紙の場合、１枚の印刷用紙の一方の面を印刷した後に、その印刷用紙の他方の面を印刷することを全ての印刷用紙に対して行う印刷コマンドを生成する生成工程と
をコンピュータに実行させることを特徴とするプログラム。